(57)【要約】【課題】製造後に任意に長さを変えることが困難であり、部品点数が多くて製造工程が煩雑なため、量産性が低く、コスト高になる。【解決手段】平行コード１では、スライダ２０をこの解放部２１ｂ方向へ摺動させれば、結合していた１連型の第１及び第２のコード本体１０−１，１０−２が、スライダ枠２１内の分離部２２により分離される。逆に、スライダ２０をこの挟持部２１ａ方向へ移動させれば、分離していた１連型の第１及び第２のコード本体１０−１，１０−２が、スライド枠２１の挟持部２１ａにより、外周から締め付けられて第１及び第２の咬合子１５−１，１５−２が咬合し、両者が結合される。【選択図】図１
2007173089.tif 000002
【特許請求の範囲】
【請求項１】
第１の導体と、前記第１の導体を被覆する第１の絶縁体と、前記第１の絶縁体の長手方向に沿って前記第１の絶縁体の側面に突設された第１の咬合子と、を有する第１のコード本体と、
第２の導体と、前記第２の導体を被覆する第２の絶縁体と、前記第２の絶縁体の長手方向に沿って前記第２の絶縁体の側面に突設され、前記第１の咬合子と咬合する第２の咬合子と、を有する第２のコード本体と、
前記第１及び第２のコード本体を跨いで摺動自在に挟持して前記第１及び第２の咬合子を咬合する挟持部と、前記第１及び第２の咬合子間に介在して前記第１及び第２の咬合子を解放する分離部と、を有するスライダと、
を備えたことを特徴とする平行コード。
【請求項２】
前記第１の絶縁体、及び前記第１の咬合子は、樹脂により一体的に形成され、前記第２の絶縁体、及び前記第２の咬合子は、樹脂により一体的に形成されていることを特徴とする請求項１記載の平行コード。
【請求項３】
前記スライダは、合成樹脂又は金属により形成されていることを特徴とする請求項１又は２記載の平行コード。
【請求項４】
前記スライダには、摘み、及び又は、ストッパが取り付けられていることを特徴とする請求項１〜３のいずれか１項に記載の平行コード。
【請求項５】
請求項１〜４のいずれか１項に記載の平行コードと、
前記平行コードの一端に接続された一対の電気／音声変換器と、
前記平行コードの他端に接続されたプラグと、
を有することを特徴とする携帯用音響機器。
【請求項６】
前記電気／音声変換器は、イヤホン又はヘッドホンであることを特徴とする請求項５記載の携帯用音響機器。
【発明の詳細な説明】
【技術分野】
【０００１】
本発明は、スライダにより結合／分離可能した平行コードと、この平行コードを用いたイヤホン、ヘッドホン等の携帯用音響機器に関するものである。
【背景技術】
【０００２】
従来、ステレオ型ヘッドホン等に使用される２本１組のコードを結合／分離可能にしたものとして、例えば、次のような文献に記載されるものがあった。
【０００３】
【特許文献１】特開２００４−５６６３６号公報
【０００４】
この特許文献１には、ファスナー付きコードを用いたステレオ型ヘッドホンの技術が記載されている。このヘッドホンでは、ファスナー付き２本１組のコードの一端に、ステレオ用の２個のヘッドホン本体が接続され、他端にプラグが接続されている。
【０００５】
ファスナーは、２帯の布状のテープ部分がスライダにより開閉可能な構造になっているので、このファスナーを利用して、２帯の布状のテープ部分をそれぞれ袋状に形成し、この袋状の各テープ部分にコードをそれぞれ挿入してファスナー付き２本１組のコードを形成する。このファスナー付き２本１組のコードの一端に、２個のヘッドホン本体を電気的に接続すると共に、コードの他端を留め具で固定してプラグを電気的に接続することにより、ヘッドホンを製造する構造になっている。
【０００６】
このようなヘッドホンでは、スライダによりコード部分を分岐出来るので、分岐するコードの長さを容易に調整でき、又、収納持のコード部分の絡み付きを防止できて便利である。
【発明の開示】
【発明が解決しようとする課題】
【０００７】
しかしながら、従来のファスナー付き２本１組のコードでは、長さを予め決めておいて製造する構造になっているので、製造後に任意に長さを変えることが困難であり、しかも、部品点数が多くて製造工程が煩雑なため、量産性が低く、コスト高になるという課題があった。
【課題を解決するための手段】
【０００８】
前記課題を解決するために、本発明の平行コードでは、第１のコード本体と、第２のコード本体と、スライダとを備えている。
【０００９】
前記第１のコード本体は、第１の導体と、前記第１の導体を被覆する第１の絶縁体と、前記第１の絶縁体の長手方向に沿って前記第１の絶縁体の側面に突設された第１の咬合子とを有している。前記第２のコード本体は、第２の導体と、前記第２の導体を被覆する第２の絶縁体と、前記第２の絶縁体の長手方向に沿って前記第２の絶縁体の側面に突設され、前記第１の咬合子と咬合する第２の咬合子とを有している。
【００１０】
更に、前記スライダは、前記第１及び第２のコード本体を跨いで摺動自在に挟持して前記第１及び第２の咬合子を咬合する挟持部と、前記第１及び第２の咬合子間に介在して前記第１及び第２の咬合子を解放する分離部とを有している。
【００１１】
又、本発明の携帯用音響機器（例えば、イヤホン、ヘッドホン等）では、前記発明の平行コードと、前記平行コードの一端に接続された一対の電気／音声変換器（例えば、イヤホン本体、ヘッドホン本体等）と、前記平行コードの他端に接続されたプラグとを有している。
【発明の効果】
【００１２】
本発明の平行コードによれば、所望の太さに形成した第１と第２のコード本体を、スライダを移動させることによって任意の位置で分離又は結合出来る。しかも、予め所定の太さの長尺のものを製造しておいて、使用時に切断すれば、所望の長さの平行コードを容易に製造でき、更に、部品点数も少ないので、製造が容易で、量産性か高く、低コスト化が可能になる。本発明のようなスライダにより結合／分離可能な平行コードは、種々の用途に使用出来る。
【００１３】
本発明の携帯用音響機器では、コード部分に、スライダにより結合／分離可能な平行コードを用いているので、従来のものよりもコード部分を細くて簡素な形態にできる。しかも、使用時において、スライダでコード部分の分岐長を容易に調整できて便利であり、収納持においても、コード部分の絡み付きを防止できて容易且つよりコンパクト（小型）に収納できる。
【発明を実施するための最良の形態】
【００１４】
平行コードは、第１と第２のコード本体が、スライダにより結合／分離可能な構造になっている。前記第１のコード本体は、第１の導体と、前記第１の導体を被覆する第１の絶縁体と、前記第１の絶縁体の長手方向に沿って前記第１の絶縁体の側面に突設された第１の咬合子とを有している。前記第２のコード本体は、第２の導体と、前記第２の導体を被覆する第２の絶縁体と、前記第２の絶縁体の長手方向に沿って前記第２の絶縁体の側面に突設され、前記第１の咬合子と咬合する第２の咬合子とを有している。
【００１５】
前記スライダは、前記第１及び第２のコード本体を跨いで摺動自在に挟持して前記第１及び第２の咬合子を咬合する挟持部と、前記第１及び第２の咬合子間に介在して前記第１及び第２の咬合子を解放する分離部とを有している。
【００１６】
例えば、前記第１の絶縁体、及び前記第１の咬合子は、樹脂により一体的に形成され、前記第２の絶縁体、及び前記第２の咬合子も、樹脂により一体的に形成されている。前記スライダは、合成樹脂又は金属により形成されている。
【実施例１】
【００１７】
（実施例１の構成）
図１（ａ）〜（ｃ）は、本発明の実施例１を示すスライド付き２芯型平行コードの概略の構成図であり、同図（ａ）は２芯型平行コードの斜視図、同図（ｂ）はスライダ部分の斜視図、及び同図（ｃ）はスライダ部分の横断面図である。
【００１８】
本実施例１の２芯型平行コード１は、長尺の第１及び第２のコード本体１０−１，１０−２を有し、この第１及び第２のコード本体１０−１，１０−２が、この外側に摺動自在に装着されたスライダ２０により結合／分離可能な構造になっている。
【００１９】
第１のコード本体１０−１は、絶縁被覆された複数本の第１の導体１１−１を有し、この複数本の第１の導体１１−１の外側が、断面ほぼ方形の第１の絶縁体１２−１により被覆されている。なお、図示されていないが、複数本の第１の導体１１−１には、これに沿って、１本又は複数本の補強糸を介在させても良い。
【００２０】
第１の絶縁体１２−１の上面において、第２のコード本体側の箇所には、段差が設けられて平坦な第１の案内部１３−１が形成されている。第１の案内部１３−１と第１の絶縁体１２−１の下面との間には、第２のコード本体側に開口した第１の溝１４−１が、第１の絶縁体１２−１の長手方向に沿って形成されている。この第１の溝１４−１と第１の案内部１３−１の上面とによって、第１の絶縁体１２−１の長手方向に延びる板状の１連型の第１の咬合子１５−１が形成され、この第１の咬合子１５−１の先端側に下方向に曲がった鉤部が形成されている。更に、第１の溝１４−１と第１の絶縁体１２−１の下面とによって、第１の咬合子１５−１と平行して延びる板状の第１の係合片１６−１が形成されている。これらの第１の絶縁体１２−１、第１の案内部１３−１、第１の溝１４−１、第１の咬合子１５−１、及び第１の係合片１６−１は、非塩化ビニール等の樹脂により一体的に形成されている。
【００２１】
第２のコード本体１０−２は、第１のコード本体１０−１と同一の形状及び構造をしており、絶縁被覆された複数本の第２の導体１１−２を有し、この複数本の第２の導体１１−２の外側が、断面ほぼ方形の第２の絶縁体１２−２により被覆されている。図示されていないが、複数本の第２の導体１１−２には、これに沿って、１本又は複数本の補強糸を介在させても良い。
【００２２】
第２の絶縁体１２−２の下面において、第１のコード本体側の箇所には、段差が設けられて、第１の係合片１６−１と係合するための平坦な第２の案内部１３−２が形成されている。第２の案内部１３−２と第２の絶縁体１２−２の上面との間には、第１の咬合子１５−１を嵌入するための第１のコード本体側に開口した第２の溝１４−２が形成されている。この第２の溝１４−２と第２の案内部１３−２の下面とによって、第１の溝１４−１に嵌入するための板状の１連型の第２の咬合子１５−２が形成され、この第２の咬合子１５−２の先端側に、第１の咬合子１５−１と咬合するための上方向に曲がった鉤部が形成されている。更に、第２の溝１４−２と第２の絶縁体１２−２の上面とによって、第２の案内部１３−１に係合するための板状の第２の係合片１６−２が形成されている。これらの第２の絶縁体１２−２、第２に案内部１３−２、第２の溝１４−２、第２の咬合子１５−２、及び第２の係合片１６−２は、非塩化ビニール等の樹脂により一体的に形成されている。
【００２３】
スライダ２０は、第１及び第２のコード本体１０−１，１０−２を摺動自在に把持するためのスライド枠２１を有している。スライド枠２１は、下面側にスリットを有するほぼ角筒状をなし、この角筒状の一端側に、口径が小さく絞られた挟持部２１ａが形成され、他端に、第１及び第２のコード本体１０−１，１０−２を分離解放するための口径の大きな解放部２１ｂが形成されている。挟持部２１ａは、第１及び第２のコード本体１０−１，１０−２を跨いで摺動自在に挟持して第１と第２の咬合子１５−１，１５−２を咬合するための箇所である。
【００２４】
スライド枠２１の内周面の断面形状は、第１及び第２のコード本体１０−１，１０−２のほぼ方形の外周面を案内するために、この外周面の断面形状に比例したほぼ方形の形状をしている。このスライド枠２１内の上面において、解放部２１ｂと対応する箇所には、第１と第２の咬合子１５−１，１５−２間に介在してこの両者を分離するための分離部２２が突設されている。分離部２２は、スライド枠２１の中心に沿って延びる板状をなし、この板状の挟持部２１ａ側に、この挟持部２１ａに向かって厚みが狭くなるテーパ部２２ａが形成されている。このような構造のスライダ２０は、合成樹脂による成形や、金属等による加圧加工等により、一体的に形成されている。
【００２５】
（実施例１の製造方法例）
本実施例１の２芯型平行コード１は、例えば、次のようにして製造される。
先ず、長尺の第１のコード本体１０−１の製造において、例えば、複数本の第１の導体１１−１１（及び必要に応じて１本又は複数本の補強糸）を押出機のクロスヘッドにセットし、この押出機に被覆材の樹脂ペレットを供給する。これにより、樹脂ペレットが加熱されて溶融し、クロスヘッドへ所定の圧力で注入されて、複数本の第１の導体１１−１（及び必要に応じて挿入された１本又は複数本の補強糸）の表面が樹脂で被覆される。溶融した樹脂で被覆された第１の導体１１−１（及び必要に応じて挿入された１本又は複数本の補強糸）を、所定の速度でクロスヘッドから引き出して冷却する。これにより、クロスヘッドの出口のダイスの形状に応じて、所定の断面形状を有する第１の絶縁体１２−１で被覆された１連型の第１のコード本体１０−１を形成出来る。
【００２６】
第２のコード本体１０−２は、第１のコード本体１０−１と同一の形状及び構造のため、形成された長尺の第１のコード本体１０−１を所望の長さに切断して使用すれば良い。
【００２７】
形成された１連型の第１及び第２のコード本体１０−１，１０−２を、互いの第１及び第２の咬合子１５−１，１５−２が向き合うように配置し、この第１及び第２のコード本体１０−１，１０−２の端部から、例えば、予め形成しておいたスライダ２０の解放部２１ｂ側を被せ、このスライダ２０を第１及び第２のコード本体１０−１，１０−２の他端側へ移動させる。
【００２８】
すると、スライダ２０のスライド枠２１内に挿入された第１及び第２のコード本体１０−１，１０−２の端部において、第１のコード本体１０−１の端部が、スライド枠２０の内壁面と分離部２２とにより案内されて挟持部２１ａへ挿入されていくと共に、第２のコード本体１０−２の端部が、スライド枠２０の内壁面と分離部２２とにより案内されて挟持部２１ａへ挿入されていき、第１のコード本体１０−１の第１の咬合子１５−１が第２の溝１４−２へ嵌入すると共に、第２のコード本体１０−２の第２の咬合子１５−２が第１の溝１４−１へ嵌入し、第１の咬合子１５−１と第２の咬合子１５−２とが咬合していき、第１及び第２のコード本体１０−１，１０−２が結合する。これにより、スライダ付きの２芯型平行コード１の製造が終了する。
【００２９】
（実施例１の動作）
本実施例１のスライダ付き２芯型平行コード１では、スライダ２０をこの解放部２１ｂ方向へ摺動させれば、結合していた１連型の第１及び第２のコード本体１０−１，１０−２が、スライダ枠２１内の分離部２２により分離される。逆に、スライダ２０をこの挟持部２１ａ方向へ移動させれば、分離していた１連型の第１及び第２のコード本体１０−１，１０−２が、スライド枠２１の挟持部２１ａにより、外周から締め付けられて第１及び第２の咬合子１５−１，１５−２が咬合し、両者が結合される。
【００３０】
（実施例１の効果）
本実施例１のスライダ付き２芯型平行コード１によれば、所望の太さに形成した１連型の第１及び第２のコード本体１０−１，１０−２を、スライダ２０を移動させることによって任意の位置で分離又は結合出来る。しかも、予め所定の太さの長尺の第１及び第２のコード本体１０−１，１０−２を製造しておいて、使用時に切断してスライダ２０を装着すれば、所望の長さのスライダ付き２芯型平行コード１を容易に製造でき、更に、部品点数も少ないので、製造が容易で、量産性か高く、低コスト化が可能になる。本実施例１のようなスライダ２０により結合／分離可能な２芯型平行コード１は、種々の用途に使用出来る。
【実施例２】
【００３１】
図２は、本発明の実施例２を示すスライダ付き２芯型平行コード１Ａの縦断面図であり、実施例１を示す図１中の要素と共通の要素には共通の符号が付されている。
【００３２】
本実施例２のスライダ付き２芯型平行コード１Ａでは、実施例１の１連型の第１、第２のコード本体１０−１，１０−２に代えて、２連型の第１、第２のコード本体１０−１Ａ，１０−２Ｂが設けられている。
【００３３】
本実施例２の第１のコード本体１０−１Ａは、第１の導体１１−１を被覆する断面ほぼ方形の第１の絶縁体１２−１を有し、この第１の絶縁体１２−の側面に、実施例１の１連の第１の咬合子１５−１に代えて、所定間隔隔てた２連の第１の咬合子１５−１１，１５−１２が突設されている。第１の咬合子１５−１１と第１の咬合子１５−１２との間には、第１の溝１４−１１が形成され、第１の咬合子１５−１２と第１の係合片１６−１との間にも、第１の溝１４−１２が形成されている。
【００３４】
同様に、本実施例２の第２のコード本体１０−２Ａは、第１のコード本体１０−１Ａと同一の形状及び構造をしており、第２の導体１１−２を被覆する断面ほぼ方形の第２の絶縁体１２−２を有している。この第２の絶縁体１２−２の側面には、実施例１の１連の第２の咬合子１５−２に代えて、所定間隔隔てた２連の第２の咬合子１５−２１，１５−２２が突設され、これらの咬合子１５−２１，１５−２２が、第１の溝１４−１１，１４−１２にそれぞれ嵌入するようになっている。
【００３５】
第２の咬合子１５−２１と第２の咬合子１５−２２との間には、第１の咬合子１５−１１を嵌入させるための第１の溝１４−２１が形成され、第２の咬合子１５−２２と第２の係合片１６−２との間にも、第１の咬合子１５−１２を嵌入させるための第２の溝１４−２２が形成されている。その他の構成は、実施例１と同様である。
【００３６】
本実施例２のスライダ付き２芯型平行コード１Ａは、実施例１のスライダ付き２芯型平行コード１とほぼ同様に製造出来る。
【００３７】
（実施例２の動作）
本実施例２のスライダ付き２芯型平行コード１Ａでは、実施例１とほぼ同様に、スライダ２０を摺動させることにより、第１のコード本体１０−１Ａ側の第１の咬合子１５−１１，１５−１２と、第２のコード本体１０−２Ａ側の第２の咬合子１５−２１，１５−２２とが、咬合又は解放して、第１のコード本体１０−１Ａと第２のコード本体１０−２Ａとが、結合又は分離する。
【００３８】
（実施例２の効果）  
本実施例２のスライダ付き２芯型平行コード１Ａによれば、実施例１とほぼ同様の効果が得られる上に、第１の咬合子１５−１１，１５−１２、及び第２の咬合子１５−２１，１５−２２が２連型のため、咬合持の結合力が大きい。
【実施例３】
【００３９】
図３は、本発明の実施例３を示すスライダ付き２芯型平行コード１Ｂの縦断面図であり、実施例２を示す図２中の要素と共通の要素には共通の符号が付されている。
【００４０】
本実施例３のスライダ付き２芯型平行コード１Ｂでは、実施例２の第１、第２のコード本体１０−１Ａ，１０−２Ａにおける断面がほぼ方形の第１、第２の絶縁体１２−１Ａ，１２−２Ａに代えて、異なる形状の第１、第２のコード本体１０−１Ｂ，１０−２Ｂにおける第１、第２の絶縁体１２−１Ｂ，１２−２Ｂが設けられている。第１、第２の絶縁体１２−１Ｂ，１２−２Ｂは、外側の側面の断面形状が円弧状になっていること、実施例２の第１、第２の案内部１３−１，１３−２が省略されて、第２の絶縁体１２−２Ｂ側の第２の係合片１６−２の下面が第１の絶縁体１２−１Ｂの上面に接触し、第１の絶縁体１２−１Ｂ側の第１の係合片１６−１の上面が第２の絶縁体１２−２Ｂの下面に接触するようになっている。これに対応して、スライダ枠２１の内周面の形状が変更されている。そのたの構成は、実施例２と同様である。
【００４１】
このような構成にしても、実施例２とほぼ同様に製造方法でき、ほぼ同様の動作及び効果を奏する。
【実施例４】
【００４２】
図４は、本発明の実施例４を示すスライダ付き２芯型平行コード１Ｃの縦断面図であり、実施例２を示す図２中の要素と共通の要素には共通の符号が付されている。
【００４３】
本実施例４のスライダ付き２芯型平行コード１Ｃでは、実施例２の第１、第２のコード本体１０−１Ａ，１０−２Ａに代えて、形状の異なる第１、第２のコード本体１０−１Ｃ，１０−２Ｃが設けられている。
【００４４】
本実施例４の第１のコード本体１０−１Ｃは、第１の導体１１−１を被覆する断面ほぼ方形の第１の絶縁体１２−１を有し、この第１の絶縁体１２−の側面に、実施例２の第１の咬合子１５−１１，１５−１２及び第１の係合片１６−１に代えて、所定間隔隔てた第１の咬合子１５−１１，１５−１２が突設されている。第１の咬合子１５−１１及び１５−１２間には、第１の溝１４−１が形成され、更に、第１の咬合子１５−１１の上面に、段差になった第１の案内部１３−１１が形成され、第１の咬合子１５−１２の下面に、段差になった第１の案内部１３−１２が形成されている。
【００４５】
本実施例４の第２のコード本体１０−２Ｃは、第１のコード本体１０−１Ｃと異なる形状及び構造をしている。第２のコード本体１０−２Ｃは、第２の導体１１−２を被覆する断面ほぼ方形の第２の絶縁体１２−２を有している。この第２の絶縁体１２−２の側面には、実施例２の第２の咬合子１５−２１，１５−２２、及び第２の係合片１６−２に代えて、所定間隔隔てた第２の係合片１６−２１，１６−２２と、この第２の係合片１６−２１及び１６−２２間に位置する第２の咬合子１５−２３が設けられている。
【００４６】
第２の係合片１６−２１及び１６−２２により、第１の案内部１３−１１，１３−１２を挟持すると共に、第２の咬合子１５−２３が、第１の溝１４−１に嵌入して第１の咬合子１５−１１及び１５−１２と咬合するようになっている。その他の構成は、実施例２と同様である。
【００４７】
本実施例４のスライダ付き２芯型平行コード１Ｃは、実施例２のスライダ付き２芯型平行コード１Ａとほぼ同様に製造出来、ほぼ同様の動作及び効果を奏する。
【実施例５】
【００４８】
図５は、本発明の実施例５を示すスライダ付き２芯型平行コード１Ｄの斜視図であり、実施例１を示す図１中の要素と共通の要素には共通の符号が付されている。
【００４９】
本実施例５のスライダ付き２芯型平行コード１Ｄでは、実施例１の第１、第２ののコード本体１０−１，１０−２に代えて、異なる形状及び構造の第１、第２のコード本体１０−１Ｄ，１０−２Ｄが設けられている。
【００５０】
第１、第２のコード本体１０−１Ｄ，１０−２Ｄでは、第１、第２の導体１１−１，１１−２をそれぞれ非塩化ビニール等の外部絶縁体１７−１，１７−２で被覆し、この外部絶縁体１７−１，１７−２の外側から長手方向に沿って、駒状の第１、第２の絶縁体１２−１Ｄ，１２−２Ｄをそれぞれ１個置きに数珠状に多数装着し、各第１の絶縁体１２−１Ｄ，１２−１Ｄ間に、各第２の絶縁体１２−２Ｄ，１２−２Ｄが嵌合／離脱可能な構造になっている。
【００５１】
第１、第２の絶縁体１２−１Ｄ，１２−２Ｄの形成方法は、例えば、外部絶縁体１７−１，１７−２によりそれぞれ被覆された第１、第２の導体１１−１，１１−２を樹脂形成用の金型にセットし、この金型を用いて樹脂をモールド成形することにより、第１、第２の絶縁体１２−１Ｄ，１２−２Ｄを形成できる。
【００５２】
外部絶縁体１７−１の外側から長手方向に沿って１個置きに数珠状に多数装着された第１の絶縁体１２−１Ｄと、外部絶縁体１７−２の外側から長手方向に沿って１個置きに数珠状に多数装着された第２の絶縁体１２−２Ｄとは、これらを跨ぐように摺動自在に装着されたスライダ２０を移動させることにより、嵌合／離脱され、第１のコード本体１２−１Ｄと第２のコード本体１２−２Ｄとが、結合／分離される。
【００５３】
本実施例５のスライダ付き２芯型平行コード１Ｄによれば、実施例１とほぼ同様の効果がある上に、駒形の第１、第２の絶縁体１２−１Ｄ，１２−２Ｄを数珠状に連結した構造になっているので、実施例１に比べて平行コード１Ｄが屈曲し易いという効果がある。
【実施例６】
【００５４】
図６（ａ）、（ｂ）は、本発明の実施例６を示す携帯用音響機器の構成図であり、同図（ａ）はイヤホンの構成図、及び同図（ｂ）はヘッドホンの構成図である。
【００５５】
図６（ａ）のイヤホン３０では、実施例１〜５のスライダ付き２芯型平行コード１，１Ａ〜１Ｄの内のいずれか１つ（例えば、１）を用い、この平行コード１の一端側における第１、第２のコード本体１０−１，１０−２に、それぞれ電気／音声変換器であるステレオ型イヤホン本体３１−１，３１−２を電気的に接続すると共に、該平行コード１の他端側を留め具３２で固定してプラグ３３を電気的に接続した構成になっている。
【００５６】
図６（ｂ）のヘッドホン４０では、実施例１〜５のスライダ付き２芯型平行コード１，１Ａ〜１Ｄの内のいずれか１つ（例えば、１）を用い、この平行コード１の一端側における第１、第２のコード本体１０−１，１０−２に対して、ヘッドバンド４１に連結された電気／音声変換器であるステレオ型ヘッドホン本体４１−１，４１−２をそれぞれ電気的に接続すると共に、該平行コード１の他端側を留め具３２で固定してプラグ３３を電気的に接続した構成になっている。
【００５７】
イヤホン３０あるいはヘッドホン４０において、スライダ２０の外側に、スライダ移動用の摘み２３を取り付けても良い。又、摘み２３を上下に移動させる時に、これと連動する図示しないストッパにより、平行コード１を応圧して該スライダ２０を係止できる構造にしても良い。このような摘み２３あるいはストッパを取り付ければ、使い勝手が良くなって便利である。
【００５８】
本実施例６のイヤホン３０あるいはヘッドホン４０によれば、コード部分に、スライダ２０により結合／分離可能な平行コード（例えば、１）を用いているので、従来のものよりもコード部分を細くて簡素な形態にできる。しかも、使用時において、スライダ２０でコード部分の分岐長を容易に調整できて便利であり、収納持においても、コード部分の絡み付きを防止できて容易且つよりコンパクトに収納できる。
【００５９】
なお、本発明は、上記実施例１〜６に限定されず、種々の変形が可能である。この変形例としては、例えば、次の（１）〜（３）のようなものがある。
【００６０】
（１）  実施例１〜５のコード本体１０−１，１０−２，１０−１Ａ，１０−２Ａ〜１０−１Ｄ、１０−２Ｄやスライダ２０は、図示以外の形状や構造に変更出来る。
【００６１】
（２）  実施例１〜５では、２芯型の平行コード１，１Ａ〜１Ｄについて説明したが、本発明では、３芯以上の平行コードにも適用できる。例えば、図１の平行コード１において、３芯型にするには、第２のコード本体１０−２の両側面に、咬合子１５−１及び係合片１６−２をそれぞれ突設しておき、これに対して第１のコード本体１０−１と同一形状の第３のコード本体を結合し、これらの第１、第２、第３のコード本体を跨いで摺動自在に挟持するためのスライダを装着すれば良い。
【００６２】
（３）  実施例６では、実施例１〜５の平行コード１，１Ａ〜１Ｄの使用例として、イヤホン３０やヘッドホン４０について説明したが、他の携帯用音響機器や、その他の種々の機器にも使用できる。
【図面の簡単な説明】
【００６３】
【図１】本発明の実施例１を示すスライダ付き２芯型平行コードの概略の構成図である。
【図２】本発明の実施例２を示すスライダ付き２芯型平行コード１Ａの縦断面図である。
【図３】本発明の実施例３を示すスライダ付き２芯型平行コード１Ｂの縦断面図である。
【図４】発明の実施例４を示すスライダ付き２芯型平行コード１Ｃの縦断面図である。
【図５】本発明の実施例５を示すスライダ付き２芯型平行コード１Ｄの縦断面図である。
【図６】本発明の実施例６を示す携帯用音響機器の構成図である。
【符号の説明】
【００６４】
１，１Ａ〜１Ｄ                              平行コード
１０，１０−１，１０−２，１０−１Ａ，１０−２Ａ〜１０−１Ｄ、１０−２Ｄ
コード本体
１１−１，１１−２                          導体
１２−１，１２−２，１２−１Ｂ，１２−２Ｂ〜１２−１Ｄ，１２−２Ｄ
絶縁体
１５−１，１５−２，１５−１１，１５−１２，１５−２１，１５−２２，１５−２３                                              咬合子
２０                                        スライダ
２１ａ                                      挟持部
２２                                        分離部
３０                                        イヤホン
４０                                        ヘッドホン
【図１】
2007173089.tif 000003
【図２】
2007173089.tif 000004
【図３】
2007173089.tif 000005
【図４】
2007173089.tif 000006
【図５】
2007173089.tif 000007
【図６】
2007173089.tif 000008